(57)【特許請求の範囲】
【請求項１】
外形がほぼ直方体の形状を有し、この直方体の上面および底面が互いに平行な平面を構成し、上記直方体の上面が階段の踏み面を構成し、上記直方体の前面が階段の蹴上げを構成するように成形され、踏み面と対向する底面の前縁付近に底面に対して垂直な切込み溝が、該切込み溝に対向する蹴上げ下端部をカッタ又はハンマーで除去して蹴上げ寸法を縮小できるように、全幅にまたがってほぼ均一な深さで設けられ、蹴上げと対向する背面の上縁付近に背面に対して垂直な切込み溝が、該切込み溝に対向する踏み面後端部をカッタ又はハンマーで除去して踏み面寸法を縮小できるように、全幅にまたがってほぼ均一な深さで設けられていることを特徴とする階段用コンクリートブロック。
【請求項２】
左右の側面の一方から他方に向かって幅方向の空洞が貫通状に設けられている請求項１記載の階段用コンクリートブロック。
【発明の詳細な説明】
【０００１】
【発明の属する技術分野】
この発明は、主に屋外の階段を構築するのに好適な階段用コンクリートブロックに関するものである。
【０００２】
【従来の技術】
屋外の階段を構築するのに用いられる階段用コンクリートブロックとして、図１に示すように、断面Ｌ字形のコンクリートブロック１０が知られている。この階段用コンクリートブロック１０は、水平方向の踏み板１１と垂直方向の蹴込み板１２とを一体に成形したものであり、図示のように、モルタルで作られた下地斜面１３上にモルタルまたは通常の空胴コンクリートブロックで築かれた台１４を介して配置することにより、階段に構成される。
【０００３】
しかしながら、上記従来の階段用コンクリートブロック１０は、断面がＬ字形に形成されているので、自然石に比べて軽い反面、踏み板の前縁（段鼻）すなわち蹴込み板側が下がり過ぎたり、上がり過ぎたりして踏み板を水平に配置する水平だしが困難で、上記ブロックを置いたときの安定が得難く、そのため階段の建設に手間がかかるという問題があった。なお、上記の踏み板１１および蹴込み板１２を個別に成形し、下地斜面１３に垂直部材の蹴込み板１２をモルタルで固定し、その硬化後に水平部材の踏み板１１を施工する方法も知られているが、これは施工に更に長時間を要するという問題があった。
【０００４】
【発明が解決しようとする課題】
この発明は、屋外で階段を建設する際、踏み面の水平だしを容易にし、階段建設の能率を向上し、かつ必要に応じて踏み面や蹴上げの一方だけでなく両方を同時に小さく設定する等、踏み面および蹴上げに関して建設の現場で多種類の寸法調節を可能にするものである。
【０００５】
【課題を解決するための手段】
この発明に係る階段用コンクリートブロックは、外形がほぼ直方体の形状を有し、この直方体の上面および底面が互いに平行な平面を構成し、上記直方体の上面が階段の踏み面を構成し、上記直方体の前面が階段の蹴上げを構成するように成形され、踏み面と対向する底面の前縁付近に底面に対して垂直な切込み溝が、該切込み溝に対向する蹴上げ下端部をカッタ又はハンマーで除去して蹴上げ寸法を縮小できるように、全幅にまたがってほぼ均一な深さで設けられ、蹴上げと対向する背面の上縁付近に背面に対して垂直な切込み溝が、該切込み溝に対向する踏み面後端部をカッタ又はハンマーで除去して踏み面寸法を縮小できるように、全幅にまたがってほぼ均一な深さで設けられていることを特徴とする。
【０００６】
この発明の階段用コンクリートブロックは、ほぼ直方体の外形に成形されるが、ここでいう直方体は、幾何学的に厳密な意味での直方体ではなく、多くの階段が備えている段鼻の突き出しや蹴込みが可能であることを意味する。すなわち、踏み板の前縁を蹴上げの前方に若干突き出したり、蹴上げを垂直面に対して若干傾斜させ、上記の段鼻を底面の前縁よりも前に位置させ、蹴込みを形成したりすることができる。ただし、踏み面と底面は平行を維持する。
【０００７】
上記の階段用コンクリートブロックは、ほぼ直方体の形状を有し、その底面が上面の踏み面と平行な平面であるため、屋外において階段を建設する際、階段用コンクリートブロックを置く位置が平坦であれば、下地が砂利であっても、置くだけで安定する。したがって、踏み面の水平だしが容易で、上記ブロックを置いたときの安定が得易く、単に置くだけでも階段として利用することができ、それだけ階段を能率的に建設することができる。
【０００８】
そして、上記の階段用コンクリートブロックは、そのまま階段の建設に用いた場合は、従来と同様に、一方のブロックの蹴上げ下部と他方のブロックの背面上部とを重ねることにより蹴上げ寸法を小さく設定することができ、一方のブロックの踏み面後部と他方のブロックの底面前部とを重ねることにより踏み面寸法を小さく設定することができる。
【０００９】
一方、底面の切込み溝に対向する蹴上げの下端部分をカッターで切断したりハンマー等で叩いたりすることにより、蹴上げ下端部分を除去して上記底面の切込み溝の溝壁を現すことができ、また背面の切込み溝に対向する踏み面の後端部分をカッターで切断したりハンマー等で叩いたりすることにより、踏み面後端部分を除去して上記背面の切込み溝の溝壁を現すことができるので、蹴上げの下端部分および踏み面の後端部分の一方または両方を切り欠いて階段に用いることにより、踏み面や蹴上げの寸法を多段に変更することができる。なお、カッターを用いる場合は、切込み溝の底でなく、深さ方向の中間で切断することもできる。
【００１０】
上記の切込み溝を設ける位置および深さは、階段の建設現場でカッターやハンマー等を利用して切り欠くことができる程度の位置と深さであれば任意であり、通常の場合、背面の切込み溝を設ける位置は、上端から３０〜６０ｍｍが好ましく、その深さは４０〜７０ｍｍが好ましい。また、底面の切込み溝を設ける位置は前端から２５〜７０ｍｍが好ましく、その深さは２０〜７０ｍｍが好ましい。
【００１１】
上記の階段用コンクリートブロックには、左右の側面の一方から他方に向かって幅方向の空洞を貫通状に設けることができ、この場合は階段用コンクリートブロックの１個当たり重量を軽くすることができ、それだけ取扱いが容易になる。また、上記の階段用コンクリートブロックには、蹴上げを構成する前面の上縁に沿って踏み面を延長する突条すなわち段鼻の突出しや蹴上げを傾斜させた形の蹴込みを設けることができ、この場合は、踏み面長が低面長よりも増して階段の昇降が容易になる。なお、上記の踏み面および蹴上げの両面には、装飾または滑り止めのために凹凸や横筋を設けることができる。
【００１２】
【発明の実施の形態】
図２に示す階段用コンクリートブロック２０は、固練りコンクリートでほぼ直方体の形状に成形されており、上面２１が踏み面を、また前面２２が蹴上げをそれぞれ形成し、前面（蹴上げ）２２の上縁に沿って突条（段鼻の突出し）２２ａが突設され、その上面（鎖線Ａの右下部分）２１ａが踏み面２１の延長部を構成している。そして、上面（踏み面）２１に対向して底面２３を、また前面（蹴上げ）２２に対向して背面２４をそれぞれ有し、左側面２５に対向して右側面２６を備えており、左右の側面２５、２６の一方から他方に向かって幅方向の空洞２７が貫通状に設けられている。
【００１３】
上記底面２３の前縁付近には、詳しくは前縁から２５〜７０ｍｍ離れた位置に、底面２３に対して垂直な切込み溝２３ａが上記階段用コンクリートブロック２０の全幅にまたがってほぼ均一な深さ、詳しくは２０〜７０ｍｍの深さで設けられる。また、上記背面２４の上縁付近には、詳しくは上縁から３０〜６０ｍｍ離れた位置に、背面２４に対して垂直な切込み溝２４ａが全幅にまたがってほぼ均一な深さ、詳しくは４０〜７０ｍｍの深さで設けられる。
【００１４】
したがって、前面（蹴上げ）２２の下部（鎖線Ｂの下側部分）２２ｂを一部カッターで切断するか、下部２２ｂにハンマー等で打撃を加えるかすると、鎖線Ｂよりも下の上記蹴上げ下部２２ｂが切り欠かれる。また、上面（踏み面）２１の後部（鎖線Ｃの後側部分）２１ｂを一部カッターで切断するか、後部２１ｂにハンマー等で打撃を加えるかすると、鎖線Ｃよりも後の上記踏み面後部２１ｂが切り欠かれる。
【００１５】
図３の（ａ）〜（ｄ）に、上記の階段用コンクリートブロック２０の使用例を示す。図３（ａ）は、上記ブロック２０を、その蹴上げ下部２２ｂおよび踏み面後部２１ｂを、両者とも切り欠くことなく、そのまま用いた階段の構成例である。すなわち、左上に示す一方のブロック２０の蹴上げ２２の下縁と右下に示す他方のブロック２０の踏み面２１の後縁とを突き合わせて配置する。この場合は、階段用コンクリートブロック２０の踏み面２１が全面そのまま利用される。また、上記ブロック２０の蹴上げ２２が全高そのまま利用されて階段の段差を構成する。なお、一方の蹴上げ２２の下部と他方の背面２４の上部を重ねて段差を縮めたり、一方の底面２３の前部と他方の踏み面２１の後部を重ねて踏み面を縮めたりすることができる。
【００１６】
図３（ｂ）は、上記ブロック２０を、その蹴上げ下部２２ｂを切り欠いて用いた階段の構成例である。すなわち、左上に示す一方のブロック２０の蹴上げ下部２２ｂを切り欠いてできた段部（２２ｂ）に、右下に示す他方のブロック２０の踏み面２１の後端を嵌め込んで配置する。この場合は、蹴上げ下部２２ｂの切り欠きで生じた段部（２２ｂ）の大きさに応じて踏み面２１および蹴上げ２２の両者が短縮される。すなわち、底面２３の溝２３ａの位置に応じて踏み面２１が短縮され、溝２３ａの深さに応じて蹴上げ２２が短縮される。
【００１７】
図３（ｃ）は、上記ブロック２０を、その踏み面後部２１ｂを切り欠いて用いた階段の構成例である。すなわち、左上に示す一方のブロック２０の蹴上げ２２の下端部が、右下に示す他方のブロック２０の踏み面後部２１ｂを切り欠いてできた段部（２１ｂ）に嵌め込まれる。この場合は、蹴上げ下部２２ｂの切り欠きでできた段部（２１ｂ）の大きさに応じて踏み面２１および蹴上げ２２の両者が短縮される。すなわち、背面２４の溝２４ａの深さに応じて踏み面２１が短縮され、溝２４ａの位置に応じて蹴上げ２２が短縮される。
【００１８】
図３（ｄ）は、上記ブロック２０を、その蹴上げ下部２２ｂおよび踏み面後部２１ｂの両者を切り欠いて用いた階段の構成例である。すなわち、左上に示す一方のブロック２０の蹴上げ下部２２ｂを切り欠いてできた段部（２２ｂ）と、右下に示す他方のブロック２０の踏み面後部２１ｂを切り欠いてできた段部（２１ｂ）とを噛み合わせる。なお、図３（ｄ）には、一方の蹴上げ２２の下側角を、他方の踏み面２１の後側凹部に嵌め込む形に噛み合わせた例であるが、一方の蹴上げ２２の下側凹部に、他方の踏み面２１の後側角を嵌め込む形に噛み合わせることができる。そして、この噛み合わせ方によって、蹴上げおよび踏み面の寸法を種々に変えることができる。
【００１９】
図４は、図３（ｃ）と同様に、ブロック２０の踏み面後部２１ｂを切り欠いて用いた階段の構成例であるが、左上に示す一方のブロック２０の蹴上げ２２の下端部を、右下に示す他方のブロック２０の踏み面後部２１ｂを切り欠いてできた段部（２１ｂ）に嵌め込む際に、この段部（２１ｂ）にモルタルＭを塗布した例である。この場合は、段差がモルタルＭの塗布厚みに応じて図３（ａ）と図３（ｃ）の中間に設定される。
【００２０】
図５の（ａ）〜（ｃ）は、上記階段用コンクリートブロック２０の他の実施形態を示す。図５（ａ）の階段用コンクリートブロック２０Ａは、上記階段用コンクリートブロック２０の段鼻の突出し２２ａを省略し、蹴上げ２２を垂直平面に形成したものである。また、図５（ｂ）の階段用コンクリートブロック２０Ｂは、蹴上げ２２の上半部２２ｃを凹曲面に形成することにより、図２の階段用コンクリートブロック２０における段鼻の突出し２２ａと蹴上げ２２間の鉤形段部を解消したものである。また、図５（ｃ）の階段用コンクリートブロック２０Ｃは、前記の蹴上げ２２を、段鼻の突出し２２ａの下端と底面２３の前端とを結ぶ傾斜面とし、いわゆる蹴込み２２ｄを形成し、図５（ｂ）同様に段鼻の突出し２２ａの下の鉤形段部を解消したものである。
【００２１】
【発明の効果】
上記のとおり、この発明に係る階段用コンクリートブロックは、踏み面の水平だしが容易であるため、屋外において階段を建設する際の能率が向上し、かつ必要に応じて踏み面や蹴上げの一方だけでなく両方を同時に小さく設定する等、踏み面や蹴上げに関して多種類の寸法調節が可能になる。特に、請求項２に係る発明は、軽量化に有効である。
【図面の簡単な説明】
【図１】従来例の断面図である。
【図２】実施形態の斜視図である。
【図３】使用形態を示す側面図である。
【図４】他の使用形態を示す側面図である。
【図５】他の実施形態を示す側面図である。
【符号の説明】
２０：階段用コンクリートブロック
２１：上面（踏み面）、２１ａ：踏み面延長部、２１ｂ：踏み面後部
２２：前面（蹴上げ）
２２ａ：突条（段鼻の突出し）、２２ｂ：蹴上げ下部、２２ｃ：蹴上げ上半部
２２ｄ：蹴込み
２３：底面、２３ａ：切込み溝
２４：背面、２４ａ：切込み溝
２５：左側面
２６：右側面
２７：空洞
【図１】
0003618727.tif 000002
【図２】
0003618727.tif 000003
【図３】
0003618727.tif 000004
【図４】
0003618727.tif 000005
【図５】
0003618727.tif 000006